(57)【要約】  視認方向に拘わらず高い被視認性を確保する。  光を出光する光源と、光源から出光された光が入射される入射面と入射面から入射された光を出射する複数の出射面とを有する導光体とを備え、複数の出射面が存在する領域が出射領域として形成され、複数の出射面は少なくとも一つずつが第１の出射面と第２の出射面と第３の出射面として形成され、第１の出射面の出射角度が所定の軸を基準として所定の角度以下にされ、第２の出射面と第３の出射面の出射角度がそれぞれ所定の軸を基準として所定の角度より大きくされ、第２の出射面の出射方向と第３の出射面の出射方向とが異なる方向にされ、出射領域の少なくとも半分の領域に第２の出射面と第１の出射面と第３の出射面が順に隣り合って存在する。
2019230319.tif 000002
【特許請求の範囲】
【請求項１】
光を出光する光源と、
前記光源から出光された光が入射される入射面と前記入射面から入射された光を出射する複数の出射面とを有する導光体とを備え、
前記複数の出射面が存在する領域が出射領域として形成され、
前記複数の出射面は少なくとも一つずつが第１の出射面と第２の出射面と第３の出射面として形成され、
前記第１の出射面の出射角度が所定の軸を基準として所定の角度以下にされ、
前記第２の出射面と前記第３の出射面の出射角度がそれぞれ前記所定の軸を基準として前記所定の角度より大きくされ、
前記第２の出射面の出射方向と前記第３の出射面の出射方向とが異なる方向にされ、
前記出射領域の少なくとも半分の領域に前記第２の出射面と前記第１の出射面と前記第３の出射面が順に隣り合って存在する
車輌用灯具。
【請求項２】
前記複数の出射面のうち少なくとも一つの前記出射面は出射角度が隣り合う全ての前記出射面の出射角度と異なるようにされた
請求項１に記載の車輌用灯具。
【請求項３】
前記複数の出射面のうち任意の前記出射面は出射角度又は出射方向が隣り合う全ての前記出射面の出射角度又は出射方向と異なるようにされた
請求項２に記載の車輌用灯具。
【請求項４】
前記出射領域は複数の区分領域によって形成され、
前記複数の区分領域にはそれぞれ少なくとも前記第２の出射面と前記第３の出射面が存在し、
前記複数の区分領域のうち前記光源に最も近い前記区分領域における前記第２の出射面と前記第３の出射面の前記所定の軸に対する出射角度が、全ての前記出射面の前記所定の軸に対する出射角度の中で最大にされた
請求項１、請求項２又は請求項３に記載の車輌用灯具。
【請求項５】
光を出光する光源と、
前記光源から出光された光が入射される入射面と前記入射面から入射された光を内面反射する複数の反射面と前記複数の反射面でそれぞれ内面反射された光を出射する出射面とを有する導光体とを備え、
前記複数の反射面が存在する領域が反射領域として形成され、
前記複数の反射面は少なくとも一つずつが第１の反射面と第２の反射面と第３の反射面として形成され、
前記第１の反射面の反射角度が所定の軸を基準として所定の角度以下にされ、
前記第２の反射面と前記第３の反射面の反射角度がそれぞれ前記所定の軸を基準として前記所定の角度より大きくされ、
前記第２の反射面の反射方向と前記第３の反射面の反射方向とが異なる方向にされ、
前記反射領域の少なくとも半分の領域に前記第２の反射面と前記第１の反射面と前記第３の反射面が順に隣り合って存在する
車輌用灯具。
【請求項６】
前記複数の反射面のうち少なくとも一つの前記反射面は反射角度が隣り合う全ての前記反射面の反射角度と異なるようにされた
請求項５に記載の車輌用灯具。
【請求項７】
前記複数の反射面のうち任意の前記反射面は反射角度又は反射方向が隣り合う全ての前記反射面の反射角度又は反射方向と異なるようにされた
請求項６に記載の車輌用灯具。
【請求項８】
前記反射領域は複数の区分領域によって形成され、
前記複数の区分領域にはそれぞれ少なくとも前記第２の反射面と前記第３の反射面が存在し、
前記複数の区分領域のうち前記光源に最も近い前記区分領域における前記第２の反射面と前記第３の反射面の前記所定の軸に対する反射角度が、全ての前記反射面の前記所定の軸に対する反射角度の中で最大にされた
請求項５、請求項６又は請求項７に記載の車輌用灯具。
【発明の詳細な説明】
【技術分野】
【０００１】
本発明は、光源から出光された光を制御する導光体を備えた車輌用灯具についての技術分野に関する。
【背景技術】
【０００２】
車輌用灯具には、光源から出光された光を所定の方向へ向けて出射する導光体が設けられ、導光体が複数の出射面を有する構成にされたものがある（例えば、特許文献１参照）。【０００３】
このような車輌用灯具においては、光源から出光された光が導光体によって導かれ各出射面から所定の方向へ出射されて外部へ向けて照射される。
【先行技術文献】
【特許文献】
【０００４】
【特許文献１】特開２０１５−１５３６１９号公報
【発明の概要】
【発明が解決しようとする課題】
【０００５】
ところで、特許文献１に記載された導光体を有する車輌用灯具においては、導光体の複数の出射面が同じ向きで形成されており、歩行者や他の車輌の搭乗者等によって車輌用灯具の点灯状態が視認されたときに、各出射面において光って見える位置が視認する角度に応じて一律に移動されるように認識される。【０００６】
例えば、車輌用灯具が正面から視認されたときには各出射面において光って見える位置が各出射面のそれぞれ中央部であるように認識され、車輌用灯具が斜め側方（左右側方）から視認されたときには、各出射面において光って見える位置が各出射面の中央部よりそれぞれ左方又は右方に寄った位置であるように認識される。【０００７】
従って、車輌用灯具が視認されたときに光の照射状態が視認する角度に応じて単調に変化するようにしか認識されず、被視認性が乏しくなってしまう。【０００８】
また、車輌用灯具が正面に対して斜め方向から視認されたときに、車輌用灯具から斜め方向へ照射される光量が少なく、視認方向によっては光が見え難くなり被視認性が低下するおそれがある。【０００９】
そこで、本発明は、視認方向に拘わらず高い被視認性を確保することを目的とする。
【課題を解決するための手段】
【００１０】
第１に、本発明に係る車輌用灯具は、光を出光する光源と、前記光源から出光された光が入射される入射面と前記入射面から入射された光を出射する複数の出射面とを有する導光体とを備え、前記複数の出射面が存在する領域が出射領域として形成され、前記複数の出射面は少なくとも一つずつが第１の出射面と第２の出射面と第３の出射面として形成され、前記第１の出射面の出射角度が所定の軸を基準として所定の角度以下にされ、前記第２の出射面と前記第３の出射面の出射角度がそれぞれ前記所定の軸を基準として前記所定の角度より大きくされ、前記第２の出射面の出射方向と前記第３の出射面の出射方向とが異なる方向にされ、前記出射領域の少なくとも半分の領域に前記第２の出射面と前記第１の出射面と前記第３の出射面が順に隣り合って存在するものである。【００１１】
これにより、出射領域の少なくとも半分の領域に、光を第２の出射面及び第３の出射面の出射角度より小さな角度で出射する第１の出射面と、第１の出射面の出射角度より大きな角度で光を出射する第２の出射面と、第１の出射面の出射角度より大きな角度で第２の出射面の出射方向と異なる方向へ光を出射する第３の出射面とが存在する。【００１２】
第２に、上記した本発明に係る車輌用灯具においては、前記複数の出射面のうち少なくとも一つの前記出射面は出射角度が隣り合う全ての前記出射面の出射角度と異なるようにされることが望ましい。【００１３】
これにより、少なくとも一つの出射面の出射角度とその出射面に隣り合う全ての出射面の出射角度とが異なるため、当該一つの出射面とその周囲の出射面とが存在する領域を視認したときに視認角度に応じて見え方が変化する。【００１４】
第３に、上記した本発明に係る車輌用灯具においては、前記複数の出射面のうち任意の前記出射面は出射角度又は出射方向が隣り合う全ての前記出射面の出射角度又は出射方向と異なるようにされることが望ましい。【００１５】
これにより、導光体の何れの出射面においても出射角度又は出射方向が隣り合う全ての出射面の出射角度又は出射方向と異なるため、出射領域を視認したときに視認角度に応じて見え方が変化する。【００１６】
第４に、上記した本発明に係る車輌用灯具においては、前記出射領域は複数の区分領域によって形成され、前記複数の区分領域にはそれぞれ少なくとも前記第２の出射面と前記第３の出射面が存在し、前記複数の区分領域のうち前記光源に最も近い前記区分領域における前記第２の出射面と前記第３の出射面の前記所定の軸に対する出射角度が、全ての前記出射面の前記所定の軸に対する出射角度の中で最大にされることが望ましい。【００１７】
これにより、光源に最も近い区分領域において光が大きな出射角度で出射される。【００１８】
第５に、別の本発明に係る車輌用灯具は、光を出光する光源と、前記光源から出光された光が入射される入射面と前記入射面から入射された光を内面反射する複数の反射面と前記複数の反射面でそれぞれ内面反射された光を出射する出射面とを有する導光体とを備え、前記複数の反射面が存在する領域が反射領域として形成され、前記複数の反射面は少なくとも一つずつが第１の反射面と第２の反射面と第３の反射面として形成され、前記第１の反射面の反射角度が所定の軸を基準として所定の角度以下にされ、前記第２の反射面と前記第３の反射面の反射角度がそれぞれ前記所定の軸を基準として前記所定の角度より大きくされ、前記第２の反射面の反射方向と前記第３の反射面の反射方向とが異なる方向にされ、前記反射領域の少なくとも半分の領域に前記第２の反射面と前記第１の反射面と前記第３の反射面が順に隣り合って存在するものである。【００１９】
これにより、反射領域の少なくとも半分の領域に、光を第２の反射面及び第３の反射面の反射角度より小さな角度で反射する第１の反射面と、第１の反射面の反射角度より大きな角度で光を反射する第２の反射面と、第１の反射面の反射角度より大きな角度で第２の反射面の反射方向と異なる方向へ光を反射する第３の反射面とが存在する。【００２０】
第６に、上記した別の本発明に係る車輌用灯具においては、前記複数の反射面のうち少なくとも一つの前記反射面は反射角度が隣り合う全ての前記反射面の反射角度と異なるようにされることが望ましい。【００２１】
これにより、少なくとも一つの反射面の反射角度とその反射面に隣り合う全ての反射面の反射角度とが異なるため、当該一つの反射面とその周囲の反射面とが存在する領域を視認したときに視認角度に応じて見え方が変化する。【００２２】
第７に、上記した別の本発明に係る車輌用灯具においては、前記複数の反射面のうち任意の前記反射面は反射角度又は反射方向が隣り合う全ての前記反射面の反射角度又は反射方向と異なるようにされることが望ましい。【００２３】
これにより、導光体の何れの反射面においても反射角度又は反射方向が隣り合う全ての反射面の反射角度又は反射方向と異なるため、反射領域を視認したときに視認角度に応じて見え方が変化する。【００２４】
第８に、上記した別の本発明に係る車輌用灯具においては、前記反射領域は複数の区分領域によって形成され、前記複数の区分領域にはそれぞれ少なくとも前記第２の反射面と前記第３の反射面が存在し、前記複数の区分領域のうち前記光源に最も近い前記区分領域における前記第２の反射面と前記第３の反射面の前記所定の軸に対する反射角度が、全ての前記反射面の前記所定の軸に対する反射角度の中で最大にされることが望ましい。【００２５】
これにより、光源に最も近い区分領域において光が大きな反射角度で反射される。
【発明の効果】
【００２６】
本発明によれば、出射領域又は反射領域の少なくとも半分の領域に、光を異なる角度で又は異なる方向へ出射又は反射する出射面又は反射面が存在するため、視認方向に拘わらず高い被視認性を確保することができる。
【図面の簡単な説明】
【００２７】
【図１】図２乃至図１８と共に本発明車輌用灯具の実施の形態を示すものであり、本図は、車輌用灯具の概略断面図である。
【図２】光源とともに示す導光体の概略縦断面図である。
【図３】光源とともに示す導光体の概略横断面図である。
【図４】出射領域の構成の一例を示す概念図である。
【図５】出射面の出射角度の割合の一例を示す図である。
【図６】出射面の出射角度の一例を示す図である。
【図７】左右方向の出射と上下方向の出射とを考慮した場合の一例を示す概念図である。
【図８】出射面が三角形状に形成された場合の構成の一例を示す概念図である。
【図９】出射面が六角形状に形成された場合の構成の一例を示す概念図である。
【図１０】図１１乃至図１４と共に光によって文字や模様等が認識される構成の例を示すものであり、本図は、光の進行方向を示す概念図である。
【図１１】第１の出射面から出射される光によって文字が認識される例を示す概念図である。
【図１２】第２の出射面から出射される光によって模様が認識される例を示す概念図である。
【図１３】第３の出射面から出射される光によって模様が認識される例を示す概念図である。
【図１４】配光の一例を示す図である。
【図１５】光源とともに示す別の導光体の概略縦断面図である。
【図１６】光源とともに示す別の導光体の概略横断面図である。
【図１７】導光体の奥側に光制御部材が配置された例を示す概略平面図である。
【図１８】湾曲された導光体の例を示す側面図である。
【発明を実施するための形態】
【００２８】
以下に、本発明車輌用灯具を実施するための形態について添付図面を参照して説明する。
【００２９】
以下の説明にあっては、光の出射方向の基準となる軸が前後方向に延びる軸であるとして前後上下左右の方向を示すものとする。但し、以下に示す前後上下左右の方向は説明の便宜上のものであり、本発明の実施に関しては、これらの方向に限定されることはない。
【００３０】
車輌用灯具１は、例えば、車体の左右両端部にそれぞれ取り付けられて配置されている。車輌用灯具１は前方に開口された凹部を有するランプハウジング２とランプハウジング２の開口を閉塞するカバー３とを備えている（図１参照）。ランプハウジング２とカバー３によって灯具外筐４が構成されている。灯具外筐４の内部空間は灯室５として形成されている。尚、図１は、車輌用灯具１の構成を概念的に示す図であり、車輌用灯具１を構成する各部の具体的な形状や大きさを示すものではない。
【００３１】
灯室５には光を出射する光源６と光源６から出射された光を出射する導光体７とが配置されている。光源６としては、例えば、発光ダイオード（ＬＥＤ: Light Emitting Diode）が用いられている。導光体７は、例えば、前下がりに傾斜された状態で配置され、後面が後方に凸の曲面状に形成された入射面８として形成されている（図１及び図２参照）。導光体７は上面が出射領域１０として形成されている。光源６は入射面８に対向して配置されている。
【００３２】
尚、光源６は複数が入射面８に対向して配置されていてもよく、例えば、左右に離隔したり上下に離隔して配置されていてもよい。但し、以下の説明は、説明を簡略化するために、一つの光源６が入射面８の左右方向における中央部に対向して位置されている例で行う。
【００３３】
車輌用灯具１は光の出射方向の基準となる所定の軸が、例えば、前後方向に延びる軸Ｊにされている（図２参照）。また、以下には、光の拡散角度や出射方向や出射角度等を軸Ｊを基準として示すが、本発明においては基準となる所定の軸が軸Ｊに限られることはなく、所定の軸が、例えば、光源６から出光される光の光軸や光軸以外の他の軸にされていてもよい。
【００３４】
出射領域１０は複数の出射面２０、２０、・・・を有している（図２及び図３参照）。出射面２０、２０、・・・は、例えば、平面に形成されている。但し、出射面２０、２０、・・・には軸Ｊを基準とした拡散角度が、例えば、５度以内の拡散ステップが形成されていてもよい。尚、図２及び図３は、導光体７の構成を概念的に示す図であり、導光体７に形成された出射面２０、２０、・・・の実際の向きや大きさや配列状態を示すものではない。
【００３５】
出射面２０、２０、・・・は、前後方向において離隔して位置され、出射面２０、２０、・・・間にはそれぞれ平面状の非出射面２１、２１、・・・が形成されている（図２参照）。出射面２０、２０、・・・は、例えば、左右方向において離隔して位置された状態で形成されている（図３参照）。但し、出射面２０、２０、・・・は、左右方向において連続して位置された状態で形成されていてもよい。
【００３６】
上記のように構成された車輌用灯具１において、光源６から光が出光されると、出光された光は入射面８から導光体７の内部に入射され、入射面８によって平行光にされる。入射面８から入射された光は導光体７で導かれ各一部がそれぞれ出射面２０、２０、・・・に到達し、出射面２０、２０、・・・で屈折されてそれぞれ所定の各方向へ向けて出射されカバー３を透過されて外部へ照射される。
【００３７】
以下に、導光体７における出射領域１０の具体的な構成について説明する（図４乃至図６参照）。尚、出射領域１０の以下の説明において参照する各図に示された記号の意味は以下の通りである。
【００３８】
「・」は出射方向が軸Ｊを基準として１０度以下であることを示し、「→」は出射方向が左方向であり軸Ｊを基準として１０度より大きいことを示し、「←」は出射方向が右方向であり軸Ｊを基準として１０度より大きいことを示す。
【００３９】
出射領域１０は、例えば、上下左右に均等に区分された四つのベース領域１１、１１、・・・によって構成されている（図４参照）。図４においては、ベース領域１１、１１、・・・が太い実線によって区分されて示されている。尚、出射領域１０に設けられるベース領域１１の区分の方向及びベース領域１１の数は任意である。
【００４０】
ベース領域１１は、例えば、上下左右に均等に区分された九つの区分領域１２、１２、・・・によって構成されている。図４においては、区分領域１２、１２、・・・が細い実線によって区分されて示されている。尚、ベース領域１１に設けられる区分領域１２の区分の方向及び区分領域１２の数は任意である。
【００４１】
区分領域１２は、例えば、上下左右に均等に区分された九つの出射面２０、２０、・・・によって構成されている。図４においては、出射面２０、２０、・・・が点線によって区分されて示されている。尚、区分領域１２に設けられる出射面２０の区分の方向及び出射面２０の数は任意である。
【００４２】
また、図４には、出射領域１０とベース領域１１と区分領域１２と出射面２０が何れも正方形にされている例を示しているが、出射領域１０とベース領域１１と区分領域１２と出射面２０の形状は任意であり、長方形や平行四辺形や菱形や三角形等の正方形以外の多角形であってもよい。また、図４には、便宜上、出射面２０、２０、・・・を同じ大きさにして示しているが、出射面２０、２０、・・・は異なる大きさにされていてもよい。
【００４３】
導光体７において、各出射面２０から出射される光の出射方向を所定の範囲毎に分けると、各範囲に含まれる出射面２０の面積の割合が、出射領域１０の面積に対して以下のようにされている（図５参照）。
【００４４】
範囲は、例えば、範囲１から範囲６まで六つに分けると、出射方向が軸Ｊに平行にされた範囲（角度０度）が範囲１であり、出射方向を１０度毎に分けた各範囲が範囲２から範囲６である。図５において、範囲２から範囲６に「左」又は「右」とあるのは、それぞれ出射方向が左方又は右方であることを示している。
【００４５】
範囲１の割合は１０％前後にされており、例えば、１１％にされている。範囲２から範囲６までの各範囲の割合は、範囲１の割合の数値に対して１０以内の数値になるようにされている。例えば、範囲１の割合が１１％の場合には、範囲２から範囲６までの「左」と「右」のそれぞれの割合が１％以上２１％以下になるようにされている。
【００４６】
出射面２０、２０、・・・はそれぞれ３種類の出射面のうち何れか１種類の出射面として形成されている（図４及び図５参照）。この３種類の出射面は第１の出射面２０Ａと第２の出射面２０Ｂと第３の出射面２０Ｃとされ、第１の出射面２０Ａと第２の出射面２０Ｂと第３の出射面２０Ｃは異なる方向へ光を出射する出射面である。
【００４７】
第１の出射面２０Ａは出射角度が軸Ｊを基準として所定の角度、例えば、１０度以下にされている（図５参照）。第２の出射面２０Ｂは出射角度が軸Ｊを基準として所定の角度、例えば、１０度より大きくされ、光を左方へ出射する出射面である。第３の出射面２０Ｃは出射角度が軸Ｊを基準として所定の角度、例えば、１０度より大きくされ、光を右方へ出射する出射面である。
【００４８】
尚、上記した所定の角度は１０度に限られることはなく、他の角度でもよい。但し、所定の角度は１０度に近い角度が望ましく、例えば、５度から１５度までの任意の角度を用いることが可能である。
【００４９】
導光体７においては、出射領域１０の少なくとも半分の領域に第２の出射面２０Ｂと第１の出射面２０Ａと第３の出射面２０Ｃが順に隣り合って存在する（図４参照）。出射領域１０の半分の領域は二つのベース領域１１、１１が占有する領域である。
【００５０】
具体的には、導光体７においては、各区分領域１２のそれぞれに第２の出射面２０Ｂと第１の出射面２０Ａと第３の出射面２０Ｃが順に隣り合って存在するように構成されている。
【００５１】
例えば、図４に抽出して示した区分領域１２Ａにおいては、中段に第１の出射面２０Ａを挟んだ左右両側に第２の出射面２０Ｂと第３の出射面２０Ｃが第１の出射面２０Ａに隣接して位置され、第２の出射面２０Ｂと第１の出射面２０Ａと第３の出射面２０Ｃが順に隣り合って位置されている。
【００５２】
また、例えば、区分領域１２Ａにおいては、中列に第１の出射面２０Ａを挟んだ上下両側に第３の出射面２０Ｃと第２の出射面２０Ｂが第１の出射面２０Ａに隣接して位置され、第２の出射面２０Ｂと第１の出射面２０Ａと第３の出射面２０Ｃが順に隣り合って位置されている。
【００５３】
さらに、各区分領域１２のそれぞれは、例えば、三つの第１の出射面２０Ａ、２０Ａ、２０Ａと三つの第２の出射面２０Ｂ、２０Ｂ、２０Ｂと三つの第３の出射面２０Ｃ、２０Ｃ、２０Ｃとによって構成されている。
【００５４】
さらにまた、導光体７においては、少なくとも一つの出射面２０の出射角度が隣り合う全ての出射面２０、２０、・・・の出射角度と異なるようにされている。
【００５５】
例えば、図４に抽出して示した区分領域１２Ａにおいては、中央に第１の出射面２０Ａが位置され上下左右に隣り合う四つの出射面２０、２０、・・・が位置されており、この上下左右に隣り合う四つの出射面２０、２０、・・・が第２の出射面２０Ｂ、２０Ｂと第３の出射面２０Ｃ、２０Ｃとされている。従って、中央に位置された第１の出射面２０Ａの出射角度が上下左右に隣り合う四つの出射面２０、２０、・・・の出射角度と異なるようにされている。
【００５６】
また、例えば、図４に抽出して示した隣り合う四つの区分領域１２、１２、・・・に跨がる領域Ｂにおいては、中央に第１の出射面２０Ａが位置され上下左右に隣り合う四つの出射面２０、２０、・・・が位置されており、この上下左右に隣り合う四つの出射面２０、２０、・・・が第２の出射面２０Ｂ、２０Ｂと第３の出射面２０Ｃ、２０Ｃとされている。従って、中央に位置された第１の出射面２０Ａの出射角度が上下左右に隣り合う四つの出射面２０、２０、・・・の出射角度と異なるようにされている。
【００５７】
導光体７においては、何れの出射面２０を基準としたときにも、この基準にした出射面２０の出射角度又は出射方向が、隣り合う全ての出射面２０、２０、・・・と異なるようにされている。
【００５８】
例えば、図４に抽出して示した区分領域１２Ｃにおいては、中央に第２の出射面２０Ｂが位置され上下左右に隣り合う四つの出射面２０、２０、・・・が位置されており、この上下左右に隣り合う四つの出射面２０、２０、・・・が第１の出射面２０Ａ、２０Ａと第３の出射面２０Ｃ、２０Ｃとされている。従って、中央に位置された第２の出射面２０Ｂの出射角度又は出射方向が上下左右に隣り合う四つの出射面２０、２０、・・・の出射角度又は出射方向と異なるようにされている。
【００５９】
また、例えば、図４に抽出して示した領域Ｂにおいては、中央に第１の出射面２０Ａが位置され上下左右に隣り合う四つの出射面２０、２０、・・・が位置されており、この上下左右に隣り合う四つの出射面２０、２０、・・・が第２の出射面２０Ｂ、２０Ｂと第３の出射面２０Ｃ、２０Ｃとされている。従って、中央に位置された第１の出射面２０Ａの出射角度が上下左右に隣り合う四つの出射面２０、２０、・・・の出射角度と異なるようにされている。
【００６０】
次に、出射面２０、２０、・・・の各出射角度について説明する（図６参照）。
【００６１】
図６において、右側の上段の図は第１の出射面２０Ａの出射角度を示し、右側の下段の図は第２の出射面２０Ｂと第３の出射面２０Ｃの出射角度を示す。各図において、数値が示されている各部分はそれぞれ区分領域１２、１２、・・・である。尚、上段の図において「左」又は「右」とあるのは、それぞれ出射方向が左方又は右方であることを示している。
【００６２】
例えば、区分領域１２Ｃにおいては、出射面２０、２０、・・・の各出射角度が０度（軸Ｊに平行）又は２０度にされており、第１の出射面２０Ａ、２０Ａ、２０Ａの出射角度が０度にされ、第２の出射面２０Ｂ、２０Ｂ、２０Ｂの出射角度が左方へ２０度にされ、第３の出射面２０Ｃ、２０Ｃ、２０Ｃの出射角度が右方へ２０度にされている。
【００６３】
区分領域１２、１２、・・・のうち光源６に最も近い区分領域１２Ｂ、１２Ｂにおける第２の出射面２０Ｂ、２０Ｂ、・・・と第３の出射面２０Ｃ、２０Ｃ、・・・の出射角度は、全ての出射面２０、２０、・・・の出射角度の中で最大にされている。具体的には、区分領域１２Ｂ、１２Ｂにおける第２の出射面２０Ｂ、２０Ｂ、・・・と第３の出射面２０Ｃ、２０Ｃ、・・・の出射角度は、例えば、４０度にされている。
【００６４】
尚、第２の出射面２０Ｂと第３の出射面２０Ｃの出射角度の最小値は１１度にされているが、第２の出射面２０Ｂと第３の出射面２０Ｃの出射角度の最小値を、例えば、１０度にすることも可能である。
【００６５】
上記のように、車輌用灯具１においては、光源６に最も近い区分領域１２Ｂ、１２Ｂにおける第２の出射面２０Ｂと第３の出射面２０Ｃの軸Ｊに対する出射角度が、全ての出射面２０の軸Ｊに対する出射角度の中で最大にされている。
【００６６】
従って、光源６に最も近い区分領域１２Ｂ、１２Ｂにおいて光が大きな出射角度で出射されるため、光源６の近傍において他の領域に対して特に輝度が高く視認される所謂点光りの現象の発生が抑制され、出射領域１０を視認したときに均一な出射状態が認識され、被視認性の向上を図ることができる。
【００６７】
尚、上記に示した出射方向の「左方向」を左斜め上方や左斜め下方をも含む方向とし、出射方向の「右方向」を右斜め上方や右斜め下方をも含む方向とすることも可能である。
【００６８】
次いで、上下の出射方向をも考慮した例について説明する（図７参照）。尚、図７には、説明を簡略化するために一つのベース領域のみを示す。図７において、「↑」は出射方向が上方向であり軸Ｊを基準として１０度より大きいことを示し、「↓」は出射方向が下方向であり軸Ｊを基準として１０度より大きいことを示す。
【００６９】
図７においては、上段の左側に、左右の出射方向を考慮した場合のベース領域１１を示し、上段の右側に、上下の出射方向を考慮した場合のベース領域１１Ｐを示す。
【００７０】
左右の出射方向に加えて上下の出射方向をも考慮しベース領域１１にベース領域１１Ｐを足し合わせる概念で各出射面２０を形成することにより、上下左右に対して斜め方向へも光が出射される構成にされたベース領域１１Ｑを形成することが可能である（図７の下段参照）。
【００７１】
例えば、同一の出射面２０において、左方への出射と下方への出射を足し合わせることにより、光を左斜め下方へ出射する出射面２０を形成する。
【００７２】
このような足し合わせを考慮した出射領域を形成することにより、配光制御の自由度の向上を図ることができる。尚、車輌用灯具１においては、左右方向のみを考慮した出射領域が形成されていてもよく、上下方向のみを考慮した出射領域が形成されていてもよい。
【００７３】
以上に記載した通り、車輌用灯具１にあっては、第１の出射面２０Ａの出射角度が軸Ｊを基準として所定の角度以下にされ、第２の出射面２０Ｂと第３の出射面２０Ｃの出射角度がそれぞれ軸Ｊを基準として所定の角度より大きくされ、第２の出射面２０Ｂの出射方向と第３の出射面２０Ｃの出射方向とが異なる方向にされ、出射領域１０の少なくとも半分の領域に第２の出射面２０Ｂと第１の出射面２０Ａと第３の出射面２０Ｃが順に隣り合って存在する。
【００７４】
従って、出射領域１０の少なくとも半分の領域に、光を第２の出射面２０Ｂ及び第３の出射面２０Ｃの出射角度より小さな角度で出射する第１の出射面２０Ａと、第１の出射面２０Ａの出射角度より大きな角度で光を出射する第２の出射面２０Ｂと、第１の出射面２０Ａの出射角度より大きな角度で第２の出射面２０Ｂの出射方向と異なる方向へ光を出射する第３の出射面２０Ｃとが存在するため、視認方向に拘わらず高い被視認性を確保することができる。
【００７５】
特に、視認角度や視認方向によって光って見える出射面２０、２０、・・・の位置が様々に変化する所謂キラキラ感が生じ、視認方向に拘わらず高い被視認性を確保することができる。
【００７６】
また、車輌用灯具１から軸Ｊに対して斜め方向へ照射される光量が増え、光の視認範囲が広がるため、被視認性の向上を図ることができる。
【００７７】
さらに、第２の出射面２０Ｂが光を左方へ出射する出射面にされ、第３の出射面２０Ｃが光を右方へ出射する出射面にされている。
【００７８】
従って、出射領域１０の少なくとも半分の領域に、光を第２の出射面２０Ｂ及び第３の出射面２０Ｃの出射角度より小さな角度で出射する第１の出射面２０Ａと、第１の出射面２０Ａの出射角度より大きな角度で光を左方へ出射する第２の出射面２０Ｂと、第１の出射面２０Ａの出射角度より大きな角度で光を右方へ出射する第３の出射面２０Ｃとが存在するため、左右方向において視認方向に拘わらず高い被視認性を確保することができる。
【００７９】
さらにまた、所定の角度が１０度にされることにより、第１の出射面２０Ａで出射された光が光軸方向に平行な方向又は光軸方向に対して大きく離隔しない方向へ向けて照射されるため、より必要とされる照明範囲への照射量を高めた上で、視認方向に拘わらず高い被視認性を確保することができる。
【００８０】
また、複数の出射面２０、２０、・・・が平面に形成されることにより、複数の出射面２０、２０、・・・が簡素な形状に形成されるため、製造コストの高騰を来すことなく被視認性の向上を図ることができる。
【００８１】
さらに、複数の出射面２０、２０、・・・のうち少なくとも一つの出射面２０は、出射角度が隣り合う全ての出射面２０、２０、・・・の出射角度と異なるようにされている。
【００８２】
従って、少なくとも一つの出射面２０の出射角度とその出射面２０に隣り合う全ての出射面２０、２０、・・・の出射角度とが異なるため、当該一つの出射面２０とその周囲の出射面２０、２０、・・・とが存在する領域を視認したときに視認角度に応じて見え方が変化し、被視認性の向上を図ることができる。
【００８３】
加えて、複数の出射面２０、２０、・・・のうち任意の出射面２０は、出射角度又は出射方向が隣り合う全ての出射面２０、２０、・・・の出射角度又は出射方向と異なるようにされている。
【００８４】
従って、導光体７の何れの出射面２０においても出射角度又は出射方向が隣り合う全ての出射面２０、２０、・・・の出射角度又は出射方向と異なるため、出射領域１０を視認したときに視認角度に応じて見え方が変化し、被視認性の一層の向上を図ることができる。
【００８５】
上記には、出射面の形状が矩形状である例を示したが、以下に、出射面が三角形状に形成された例及び六角形状に形成された例について説明する（図８及び図９参照）。尚、三角形状に形成された例と六角形状に形成された例は、上記と同様に、足し合わせる概念で各出射面を形成した例である。但し、以下の例についても、左右の出射方向のみ又は上下の出射方向のみを考慮して出射面を形成することも可能である。尚、図８及び図９においても、説明を簡略化するために一つのベース領域のみを示す。
【００８６】
先ず、出射面が三角形状に形成された例について説明する（図８参照）。
【００８７】
ベース領域１１Ｘは、例えば、上下左右に区分された九つの区分領域１２Ｘ、１２Ｘ、・・・によって構成されている。尚、ベース領域１１Ｘに設けられる区分領域１２Ｘの区分の方向及び区分領域１２Ｘの数は任意である。
【００８８】
区分領域１２Ｘは、例えば、六つに区分された正三角形状の九つの出射面２０Ｘ、２０Ｘ、・・・によって構成されている。尚、区分領域１２Ｘに設けられる出射面２０Ｘの区分の方向及び出射面２０Ｘの数は任意である。また、図８には、出射面２０Ｘが正三角形状にされている例を示しているが、出射面２０Ｘの形状は他の三角形状であってもよい。また、図８には、便宜上、出射面２０Ｘ、２０Ｘ、・・・を同じ大きさにして示しているが、出射面２０Ｘ、２０Ｘ、・・・は異なる大きさにされていてもよい。
【００８９】
三角形状の出射面２０Ｘ、２０Ｘ、・・・を有する導光体においても、出射領域の少なくとも半分の領域に第２の出射面２０ＸＢと第１の出射面２０ＸＡと第３の出射面２０ＸＣが順に隣り合って存在する。第１の出射面２０ＸＡは出射角度が軸Ｊを基準として所定の角度、例えば、１０度以下にされている。第２の出射面２０ＸＢは出射角度が軸Ｊを基準として所定の角度、例えば、１０度より大きくされ、光を左方（左斜め上方と左斜め下方を含む方向）へ出射する出射面である。第３の出射面２０ＸＣは出射角度が軸Ｊを基準として所定の角度、例えば、１０度より大きくされ、光を右方（右斜め上方と右斜め下方を含む方向）へ出射する出射面である。尚、上記した所定の角度は１０度に限られることはなく、他の角度でもよい。
【００９０】
また、出射面２０Ｘ、２０Ｘ、・・・によって構成された導光体においては、少なくとも一つの出射面２０Ｘの出射角度が隣り合う全ての出射面２０Ｘ、２０Ｘ、・・・の出射角度と異なるようにされている。
【００９１】
例えば、図８に抽出して示した隣り合う区分領域１２Ｘ、１２Ｘに跨がる領域Ｄにおいては、中央に第１の出射面２０ＸＡが位置され上下左右に隣り合う三つの出射面２０Ｘ、２０Ｘ、２０Ｘが位置されており、この隣り合う三つの出射面２０Ｘ、２０Ｘ、２０Ｘが第２の出射面２０ＸＢ、２０ＸＢと第３の出射面２０ＸＣとされている。従って、中央に位置された第１の出射面２０ＸＡの出射角度が隣り合う三つの出射面２０Ｘ、２０Ｘ、２０Ｘの出射角度と異なるようにされている。
【００９２】
尚、出射面２０Ｘ、２０Ｘ、・・・によって構成された出射領域においても、光源６に最も近い区分領域１２Ｘにおける第２の出射面２０ＸＢと第３の出射面２０ＸＣの出射角度を、全ての出射面２０Ｘ、２０Ｘ、・・・の出射角度の中で最大にすることが可能である。
【００９３】
次に、出射面が六角形状に形成された例について説明する（図９参照）。
【００９４】
ベース領域１１Ｙは、例えば、上下左右に区分された九つの区分領域１２Ｙ、１２Ｙ、・・・によって構成されている。尚、ベース領域１１Ｙに設けられる区分領域１２Ｙの区分の方向及び区分領域１２Ｙの数は任意である。
【００９５】
区分領域１２Ｙは、例えば、正六角形状の九つの出射面２０Ｙ、２０Ｙ、・・・によって構成されている。尚、区分領域１２Ｙに設けられる出射面２０Ｙの区分の方向及び出射面２０Ｙの数は任意である。また、図９には、出射面２０Ｙが正六角形状にされている例を示しているが、出射面２０Ｙの形状は他の六角形状であってもよい。また、図９には、便宜上、出射面２０Ｙ、２０Ｙ、・・・を同じ大きさにして示しているが、出射面２０Ｙ、２０Ｙ、・・・は異なる大きさにされていてもよい。
【００９６】
六角形状の出射面２０Ｙ、２０Ｙ、・・・を有する導光体においても、出射領域の少なくとも半分の領域に第２の出射面２０ＹＢと第１の出射面２０ＹＡと第３の出射面２０ＹＣが順に隣り合って存在する。第１の出射面２０ＹＡは出射角度が軸Ｊを基準として所定の角度、例えば、１０度以下にされている。第２の出射面２０ＹＢは出射角度が軸Ｊを基準として所定の角度、例えば、１０度より大きくされ、光を左方（左斜め上方と左斜め下方を含む方向）へ出射する出射面である。第３の出射面２０ＹＣは出射角度が軸Ｊを基準として所定の角度、例えば、１０度より大きくされ、光を右方（右斜め上方と右斜め下方を含む方向）へ出射する出射面である。尚、上記した所定の角度は１０度に限られることはなく、他の角度でもよい。
【００９７】
また、出射面２０Ｙ、２０Ｙ、・・・によって構成された導光体においては、少なくとも一つの出射面２０Ｙの出射角度が隣り合う全ての出射面２０Ｙ、２０Ｙ、・・・の出射角度と異なるようにされている。
【００９８】
例えば、図９に抽出して示した隣り合う三つの区分領域１２Ｙ、１２Ｙ、１２Ｙに跨がる領域Ｅにおいては、中央に第１の出射面２０ＹＡが位置され周囲において隣り合う六つの出射面２０Ｙ、２０Ｙ、・・・が位置されており、この隣り合う六つの出射面２０Ｙ、２０Ｙ、・・・が四つの第２の出射面２０ＹＢ、２０ＹＢ、・・・と二つの第２の出射面２０ＹＣ、２０ＹＣとされている。従って、中央に位置された第１の出射面２０ＹＡの出射角度が隣り合う六つの出射面２０Ｙ、２０Ｙ、・・・の出射角度と異なるようにされている。
【００９９】
尚、出射面２０Ｙ、２０Ｙ、・・・によって構成された出射領域においても、光源６に最も近い区分領域１２Ｙにおける第２の出射面２０ＹＢと第３の出射面２０ＹＣの出射角度を、全ての出射面２０Ｙ、２０Ｙ、・・・の出射角度の中で最大にすることが可能である。
【０１００】
上記には、出射面２０、２０、・・・から光が左右方向又は上下方向において様々な角度で出射される例を示したが、例えば、出射面２０、２０、・・・から出射される光の出射方向を以下のように制御し、視認者において文字や図形や模様等が認識されるようにすることも可能である（図１０乃至図１４参照）。
【０１０１】
例えば、出射面２０、２０、・・・から異なる三つの方向へ光が出射されるように構成することが可能である（図１０参照）。例えば、第１の出射面２０Ａ、２０Ａ、・・・からは光が正面方向へ出射され、第２の出射面２０Ｂ、２０Ｂ、・・・からは光が正面方向に対して左方へ所定の角度で出射され、第３の出射面２０Ｃ、２０Ｃ、・・・からは光が正面方向に対して右方へ所定の角度で出射される。
【０１０２】
尚、図１０に示す出射面２０、２０、・・・の範囲は、例として、図１１乃至図１３において破線で囲んだ範囲を示している。また、図１１乃至図１３の黒塗りの部分は光って見える部分を示している。
【０１０３】
このような構成にすることにより、正面方向から車輌用灯具１が視認されたときには、第１の出射面２０Ａ、２０Ａ、・・・から正面方向へ出射された光のみが視認され、例えば、第１の出射面２０Ａ、２０Ａ、・・・から出射された光によって表現される文字が認識される（図１１参照）。
【０１０４】
一方、正面方向に対して左右の一方から車輌用灯具１が視認されたときには、第２の出射面２０Ｂ、２０Ｂ、・・・から正面方向に対して左方の所定の角度で出射された光のみが視認され、例えば、第２の出射面２０Ｂ、２０Ｂ、・・・から出射された光によって表現される模様が認識される（図１２参照）。
【０１０５】
また、正面方向に対して左右の他方から車輌用灯具１が視認されたときには、第３の出射面２０Ｃ、２０Ｃ、・・・から正面方向に対して右方の所定の角度で出射された光のみが視認され、例えば、第３の出射面２０Ｃ、２０Ｃ、・・・から出射された光によって表現される模様が認識される（図１３参照）。
【０１０６】
このように出射面２０、２０、・・・から出射される光の出射方向を制御することにより、それぞれ特定の方向から車輌用灯具１が視認されたときに、視認者において文字や図形や模様等を認識させることが可能になり、被視認性の向上を図ることができる。特に、車輌用灯具１が標識灯として用いられる場合には、文字や図形や模様等によって視認者に対して標識や注意喚起等の表現を認識させることが可能になり、車輌用灯具１の機能性の向上を図ることができる。
【０１０７】
尚、上記には、第１の出射面２０Ａ、２０Ａ、・・・から正面方向へ出射される光によって文字が表現され、第２の出射面２０Ｂ、２０Ｂ、・・・と第３の出射面２０Ｃ、２０Ｃ、・・・から正面方向に対して左方又は右方へ出射される光によって模様が表現される例を示したが、これらの各方向へ出射される光によって文字や図形や模様等の何れが表現されるようにしてもよい。例えば、第１の出射面２０Ａ、２０Ａ、・・・から出射される光によって模様が表現され、第２の出射面２０Ｂ、２０Ｂ、・・・と第３の出射面２０Ｃ、２０Ｃ、・・・から出射される光によって文字や図形が表現されるようにしてもよく、第１の出射面２０Ａ、２０Ａ、・・・と第２の出射面２０Ｂ、２０Ｂ、・・・と第３の出射面２０Ｃ、２０Ｃ、・・・から出射される光によってそれぞれ異なる模様が表現されるようにしてもよい。
【０１０８】
また、第１の出射面２０Ａ、２０Ａ、・・・と第２の出射面２０Ｂ、２０Ｂ、・・・と第３の出射面２０Ｃ、２０Ｃ、・・・から出射される光の各出射方向は任意である。
【０１０９】
さらに、上記には、三つの異なる方向へ光が出射されて文字や図形や模様等が表現される例を示したが、光が出射される方向は三つの方向に限られることはなく、光が二つ以上の異なる方向へ出射されて文字や図形や模様等が表現される構成にされていればよい。
【０１１０】
尚、上記のような文字や図形や模様等が表現される構成においては、それぞれ特定の方向から視認されたときに文字や図形や模様等が表現されるようにするために、第１の出射面２０Ａ、２０Ａ、・・・と第２の出射面２０Ｂ、２０Ｂ、・・・と第３の出射面２０Ｃ、２０Ｃ、・・・からそれぞれ出射される光の拡散角度が小さいことが望ましく、例えば、拡散角度が５°以内にされることが望ましい。また、文字や図形や模様等が複数表現される構成にされてもよく、この場合には、複数の文字や図形や模様等がそれぞれ所望の範囲に表現されるような光の出射状態を確保するために、第１の出射面２０Ａ、２０Ａ、・・・と第２の出射面２０Ｂ、２０Ｂ、・・・と第３の出射面２０Ｃ、２０Ｃ、・・・からそれぞれ出射される光の拡散角度が５°より大きくされてもよい。
【０１１１】
しかしながら、拡散角度が小さくなると必要とされる配光を確保し難くなるが、車輌用灯具１においては、第１の出射面２０Ａ、２０Ａ、・・・と第２の出射面２０Ｂ、２０Ｂ、・・・と第３の出射面２０Ｃ、２０Ｃ、・・・からそれぞれ出射される光が補い合うことにより所定の配光が確保されている（図１４参照）。例えば、図１４において、第１の出射面２０Ａ、２０Ａ、・・・から出射される光のみによって得られる配光が配光Ｐであり、第２の出射面２０Ｂ、２０Ｂ、・・・から出射される光のみによって得られる配光が配光Ｑであり、第３の出射面２０Ｃ、２０Ｃ、・・・から出射される光のみによって得られる配光が配光Ｒであり、これらの配光Ｐと配光Ｑと配光Ｒが合算された配光が車輌用灯具１において必要とされる配光Ｔとされている。
【０１１２】
従って、拡散角度を小さくして文字や図形や模様等を表現し被視認性の向上を図った上で車輌用灯具１において必要とされる配光Ｔを確保して適正な照射状態を確保することができる。
【０１１３】
次に、導光体７とは別の導光体７Ａについて説明する（図１５及び図１６参照）。
【０１１４】
尚、上記した導光体７においては光を出射面で制御し、導光体７Ａにおいては光を反射面で制御し、光を制御する面が異なるが、導光体７Ａにおける光の制御の方法は一部を除き導光体７と同様であるため、以下の説明において導光体７と同様の内容については詳細な説明は省略する。
【０１１５】
導光体７Ａは導光体７に代えて灯室５に配置される。導光体７Ａは、例えば、前下がりに傾斜された状態で配置され、後面が後方に凸の曲面状に形成された入射面８Ａとして形成されている。導光体７Ａは上面が出射面９として形成されている。導光体７Ａは下面が反射領域３０として形成されている。
【０１１６】
反射領域３０は、例えば、上下左右に並ぶ複数の反射面４０、４０、・・・を有している。反射面４０、４０、・・・は、例えば、平面に形成されている。但し、反射面４０、４０、・・・には軸Ｊを基準とした拡散角度が、例えば、５度以内の拡散ステップが形成されていてもよい。尚、図１５及び図１６は、導光体７Ａの構成を概念的に示す図であり、導光体７Ａに形成された反射面４０、４０、・・・の実際の向きや大きさや配列状態を示すものではない。
【０１１７】
反射面４０、４０、・・・は、前後方向において離隔して位置され、反射面４０、４０、・・・間にはそれぞれ平面状の非反射面４１、４１、・・・が形成されている（図１５参照）。反射面４０、４０、・・・は、例えば、左右方向において離隔して位置された状態で形成されている（図１６参照）。但し、反射面４０、４０、・・・は、左右方向において連続して位置された状態で形成されていてもよい。
【０１１８】
導光体７Ａを有する車輌用灯具１において、光源６から光が出光されると、出光された光は入射面８Ａから導光体７Ａの内部に入射され、入射面８Ａによって平行光にされる。入射面８Ａから入射された光は導光体７Ａで導かれ各一部がそれぞれ反射面４０、４０、・・・に到達し、反射面４０、４０、・・・で全反射（内面反射）されてそれぞれ所定の各方向へ向かい出射面９から出射されカバー３を透過されて外部へ照射される。出射面９から光が出射されるときには、所定の方向へ屈折されて光が出射される。
【０１１９】
導光体７Ａにおける反射領域３０の具体的な構成は、導光体７における出射領域１０の具体的な構成と同様にされている（図４乃至図６参照）。即ち、導光体７Ａの反射面４０、４０、・・・は、それぞれ図４乃至図６に示す導光体７の出射面２０、２０、・・・と同じにされ、例えば、第１の反射面と第２の反射面と第３の反射面によって構成されている。従って、導光体７Ａの反射面４０、４０、・・・は、それぞれ図４乃至図６に示す導光体７の各出射面２０、２０、・・・をそれぞれ反射面４０、４０、・・・に置き換えた構成にされ、「出射方向」と「出射角度」がそれぞれ「反射方向」と「反射角度」に読み替えられる構成にされている。但し、導光体７Ａにおいては、反射面４０、４０、・・・で内面反射された光が出射面９で屈折されるため、出射面９での屈折を考慮して反射面４０、４０、・・・での反射方向が考慮されている。
【０１２０】
上記のように、導光体７Ａの反射領域３０は導光体７の出射領域１０と同様な構成にされているため、導光体７Ａが設けられた車輌用灯具１は導光体７が設けられた車輌用灯具１と同様の上記した作用効果を奏する。
【０１２１】
特に、第１の反射面の反射角度が軸Ｊを基準として所定の角度以下にされ、第２の反射面と第３の反射面の反射角度がそれぞれ軸Ｊを基準として所定の角度より大きくされ、第２の反射面の反射方向と第３の反射面の反射方向とが異なる方向にされ、反射領域３０の少なくとも半分の領域に第２の反射面と第１の反射面と第３の反射面が順に隣り合って存在する。
【０１２２】
従って、反射領域３０の少なくとも半分の領域に、光を第２の反射面及び第３の反射面の反射角度より小さな角度で反射する第１の反射面と、第１の反射面の反射角度より大きな角度で光を反射する第２の反射面と、第１の反射面の反射角度より大きな角度で第２の反射面の反射方向と異なる方向へ光を反射する第３の反射面とが存在するため、視認方向に拘わらず高い被視認性を確保することができる。
【０１２３】
特に、視認角度や視認方向によって光って見える反射面４０、４０、・・・の位置が様々に変化する所謂キラキラ感が生じ、視認方向に拘わらず高い被視認性を確保することができる。
【０１２４】
また、車輌用灯具１から軸Ｊに対して斜め方向へ照射される光量が増え、光の視認範囲が広がるため、被視認性の向上を図ることができる。
【０１２５】
さらに、導光体７Ａが設けられた車輌用灯具１においては、導光体７Ａの下面に反射領域３０が形成され、反射領域３０で内面反射された光が出射面９から出射される構成にされているため、出射面９の奥側で光が各方向に反射され、視認者に奥行き感のある出射状態を認識させることができる。
【０１２６】
尚、導光体７Ａが設けられた車輌用灯具１においても、導光体７が設けられた車輌用灯具１と同様に、反射面４０の形状が矩形状以外の他の形状、例えば、三角形状や六角形状等に形成されていてもよい（図８及び図９参照）。
【０１２７】
また、車輌用灯具１においては、透明部材である導光体７又は導光体７Ａが用いられているため、導光体７又は導光体７Ａの奥側に光を制御する他の光制御部材５０が配置されていてもよい（図１７参照）。
【０１２８】
光制御部材５０は、例えば、入射された光を２回内面反射して導光体７又は導光体７Ａ側へ出射させる機能を有している。この場合に、導光体７又は導光体７Ａにおいて、光制御部材５０から出射された光が透過される部分（図１７に示す白抜きの部分）４５、４５には、出射領域１０又は反射領域３０が形成されないようにしてもよい。このとき光制御部材５０によって制御された光は導光体７又は導光体７Ａによっては制御されず、導光体７又は導光体７Ａに対向して位置された光源６、６、６から出射された光が導光体７の出射領域１０又は導光体７Ａの反射領域３０で制御される。
【０１２９】
但し、導光体７又は導光体７Ａの部分４５、４５にも出射領域１０又は反射領域３０が形成され、光制御部材５０によって制御された光が導光体７の出射領域１０又は導光体７Ａの反射領域３０によっても制御される構成にすることも可能である。
【０１３０】
さらに、導光体７Ａが設けられた車輌用灯具１においても、導光体７が設けられた車輌用灯具１と同様に、反射面４０、４０、・・・で反射される光の反射方向を制御し、視認者において文字や図形や模様等が認識されるようにすることも可能である（図１０乃至図１４参照）。
【０１３１】
また、車輌用灯具１においては、上面に出射領域１０が形成され下面に反射領域３０が形成された導光体を用い、反射領域３０によって制御された光が出射領域１０によって制御されて外部へ向けて照射される構成にすることも可能である。
【０１３２】
さらにまた、上記には、略平板状の導光体７と導光体７Ａを例として示したが、導光体７と導光体７Ａは湾曲された形状、例えば、斜め下方に凸になるように湾曲された形状に形成されてもよい（図１８参照）。このような形状の導光体７又は導光体７Ａを用いることにより、導かれる光が平行光でない場合においても出射領域１０の各出射面２０、２０、・・・又は反射領域３０の各反射面４０、４０、・・・に光を導き易くなり、光の制御に関する容易化を図ることが可能になる。
【０１３３】
また、導光体７、７Ａを湾曲された形状に形成することにより、平板状の導光体７、７Ａより前後方向、上下方向又は左右方向のうち少なくとも一つの方向における全長を小さくすることが可能になり、導光体７、７Ａの小型化による車輌用灯具１の小型化を図ることができる。
【符号の説明】
【０１３４】
１…車輌用灯具、６…光源、７…導光体、８…入射面、１０…出射領域、１２…区分領域、１２Ａ…区分領域、１２Ｂ…区分領域、２０…出射面、２０Ａ…第１の出射面、２０Ｂ…第２の出射面、２０Ｃ…第３の出射面、１２Ｘ…区分領域、２０ＸＡ…第１の出射面、２０ＸＢ…第２の出射面、２０ＸＣ…第３の出射面、１２Ｙ…区分領域、２０ＹＡ…第１の出射面、２０ＹＢ…第２の出射面、２０ＹＣ…第３の出射面、７Ａ…導光体、８Ａ…入射面、９…出射面、３０…反射領域、４０…反射面
【図１】
2019230319.tif 000003
【図２】
2019230319.tif 000004
【図３】
2019230319.tif 000005
【図４】
2019230319.tif 000006
【図５】
2019230319.tif 000007
【図６】
2019230319.tif 000008
【図７】
2019230319.tif 000009
【図８】
2019230319.tif 000010
【図９】
2019230319.tif 000011
【図１０】
2019230319.tif 000012
【図１１】
2019230319.tif 000013
【図１２】
2019230319.tif 000014
【図１３】
2019230319.tif 000015
【図１４】
2019230319.tif 000016
【図１５】
2019230319.tif 000017
【図１６】
2019230319.tif 000018
【図１７】
2019230319.tif 000019
【図１８】
2019230319.tif 000020
【国際調査報告】
2019230319.tif 000021
2019230319.tif 000022